(57)【要約】【課題】医用画像情報の検索時間の短縮と検索操作の効率化を可能とする医用画像表示装置の提供。【解決手段】医用画像診断装置１で発生された被検体の医用画像データ６１を記憶する記憶部６と、人体の模擬画像と前記被検体の医用画像データ６１の収集年月日を選択するためのカレンダーとを表示する表示部４と、前記被検体の医用画像データ６１に対応する前記模擬画像の部位と、前記模擬画像の部位に対応して前記カレンダーに表示された前記被検体の医用画像データ６１の収集年月日とを選択する選択部５と、前記選択部５によって選択された前記部位と前記医用画像データ６１の収集年月日とに基づいて前記記憶部６から所望の医用画像データ６１を検索する検索部８とを具備する。【選択図】      図1
2008068033.tif 000002
【特許請求の範囲】
【請求項１】
医用画像診断装置で発生された被検体の医用画像データを記憶する記憶部と、
人体の模擬画像と前記被検体の医用画像データの収集年月日を選択するためのカレンダーとを表示する表示部と、
前記被検体の医用画像データに対応する前記模擬画像の部位と、前記模擬画像の部位に対応して前記カレンダーに表示された前記被検体の医用画像データの収集年月日とを選択する選択部と、
前記選択部によって選択された前記部位と前記医用画像データの収集年月日とに基づいて前記記憶部から所望の医用画像データを検索する検索部とを具備する医用画像表示装置。
【請求項２】
前記表示部は、前記医用画像データが収集された日の前記カレンダーの表示を通常の表示と異なる表示とすることを特徴とする請求項１記載の医用画像表示装置。
【請求項３】
前記表示部は、検索された同一の被検体の医用画像データが複数あるとき、他のデータと区別可能に表示することを特徴とする請求項１記載の医用画像表示装置。
【請求項４】
前記表示部は、前記複数の被検体の医用画像データを展開可能に表示することを特徴とする請求項３記載の医用画像表示装置。
【請求項５】
前記選択部により、カレンダーの表示方式が適宜切替えることが可能であることを特徴とする請求項１記載の医用画像表示装置。
【発明の詳細な説明】
【技術分野】
【０００１】
本発明は、医用画像診断装置内に記憶された被検体の画像情報を検索・表示する医用画像表示装置に関する。
【背景技術】
【０００２】
医用診断装置において、保存された医用画像データ及び患者情報データを閲覧するための患者情報・画像リスト表示用アプリケーションが存在する。このアプリケーションは、通常、取得した患者情報を一覧表に、まとめて表示する。しかし、近年のハードウェアの性能の向上により、保存される医用画像データが大量に発生するようになったので、患者情報の一覧表のデータ量が膨大になっている。このため、所望の画像を得るために画像データ検索を行っても医用画像データが多いため、操作者が所望の患者情報データを見つけるのに時間がかかる。
【０００３】
そこで、検査時間を短縮する従来の方法は２つある。第１の方法は、一覧表に表示された患者情報データの各項目（カラム）を用いた表示順序の変更である。第２の方法は、撮影日の直接入力による日付指定でのデータの絞込みを行う方法である。しかし、第１の方法では、患者情報データの表示順序が変更されるだけであり、一覧表に表示される患者情報のデータ量には変化がない。その為、目的の患者情報データに辿り着くまでスクロール作業などを行う必要がり、手間と時間とがかかる。第２の方法では、撮影日の直接入力による日付指定によるデータの絞込みは撮影日の入力に手間がかかるうえ、打ち間違え等が生じる。また、この場合、操作者は文字情報のみで患者情報データを絞り込まなければならず、視覚的に判断ミスを犯しやすい。
【特許文献１】特開２００５−８０９６９号公報
【発明の開示】
【発明が解決しようとする課題】
【０００４】
本発明の目的は、医用画像情報の検索時間の短縮と検索操作の効率化を可能とする医用画像表示装置を提供することにある。
【課題を解決するための手段】
【０００５】
上記目的を達成するために本発明は、ある局面において、医用画像診断装置で発生された被検体の医用画像データを記憶する記憶部と、人体の模擬画像と前記被検体の医用画像データの収集年月日を選択するためのカレンダーとを表示する表示部と、前記被検体の医用画像データに対応する前記模擬画像の部位と、前記模擬画像の部位に対応して前記カレンダーに表示された前記被検体の医用画像データの収集年月日とを選択する選択部と、前記選択部によって選択された前記部位と前記医用画像データの収集年月日とに基づいて前記記憶部から所望の医用画像データを検索する検索部とを具備する。
【発明の効果】
【０００６】
本発明によれば、医用画像情報の検索時間の短縮と検索操作の効率化が可能である。
【発明を実施するための最良の形態】
【０００７】
以下、図面を参照しながら本発明の実施形態を説明する。
【０００８】
図１は本実施形態におけるシステム構成を示す図である。  
医用画像診断装置１はＸ線診断装置、Ｘ線ＣＴ装置、磁気共鳴イメージング装置、超音波診断装置等の医用画像データを収集するための装置である。  
ＣＰＵ（Ｃｅｎｔｒａｌ  Ｐｒｏｃｅｓｓｉｎｇ  Ｕｎｉｔ）２は本実施形態における医用画像表示装置の全ての処理を統括する。  
ＲＡＭ（Ｒａｎｄｏｍ  Ａｃｃｅｓｓ  Ｍｅｍｏｒｙ）３は、ＣＰＵ２によって実行される各種プログラムやこれら各種プログラムによって処理されたデータ等を一時的に記憶するワークエリアを形成する。  
表示部４は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等からなるモニタを備えている。  
選択部５は、マウス等のポインティングデバイスを備え、表示部４上に表示されるカーソルやポインターの座標を検出し、検出した座標をＣＰＵ２に出力する。また、選択部５はＣＲＴ又はＬＣＤ等により構成される表示部４を覆うように設けられたタッチパネルを備えるものとしてもよく、電磁誘導式、磁気歪式、感圧式等の座標読取り原理でタッチ指示された座標を検出し、検出した座標を位置信号としてＣＰＵ２に出力する。更に、選択部５は、カーソルキー及び各種機能キーを備えたキーボードを備えるものとしてもよい。
【０００９】
記憶部６は、プログラムや各種データ等が記憶されている記録媒体を有している。この記録媒体は磁気的記録媒体、光学的記録媒体等である。記憶部６は医用画像データ６１、患者情報データ６２、詳細患者情報データ６３、人体を模した画像Ｉ（以下、「人体画像」と称する）等を記憶している。医用画像データ６１は診断装置１で収集された医用画像データである。
【００１０】
患者情報データ６２は、患者のＩＤ番号、患者の氏名、患者の年齢、患者の体重、撮影日、撮影部位等の項目からなる。撮影日は医用画像データの収集日である。撮影日の項目には画像が撮影された年月日等のテキスト情報が入力されている。撮影部位の項目には頭部、首部、胸部、腹部、腰部、腕部、足部といった情報が入力されている。患者詳細情報データ６３には患者情報データ６２に含まれる項目の他、患者の身体情報、撮影方法、読影をしての所見等の項目からなる。患者情報データ６２と詳細患者情報データ６３と医用画像データ６１とは患者のＩＤ番号や患者氏名等によって対応付けて記憶されている。所望の患者情報データ６２を選択部５により選択すると、選択した患者情報データ６２に対応する医用画像データ６１又は詳細患者情報データ６３が別の画面に表示される。
【００１１】
図２は人体画像Ｉを説明するための図である。図２に示すように、この人体画像Ｉは幾つかの撮影部位領域に分割されている。撮影部位領域は頭部Ｉ１、首部Ｉ２、胸部Ｉ３、腹部Ｉ４、腰部Ｉ５、腕部Ｉ６、足部Ｉ７等の領域に分かれている。選択部５を介してこの撮影部位領域内を選択すると、撮影部位領域に対応した検索条件（検索キー）がＣＰＵ２によって検索部７に送信される。以下に説明するように、この撮影部位領域は検索条件として用いるので、撮影部位を「検索部位」と称することもある。
【００１２】
カレンダー生成部７は、操作者の必要に応じて複数の種類のカレンダーＣを生成する。ここでいうカレンダーＣとは、１年又は１月の日々を曜日によって配列した所謂七曜表だけでなく、１年の月々のみを適当な順序で配列した表も含む。これらカレンダーＣは年月日や曜日等を含む画像からなる。カレンダーに表示された年月日は選択部５により選択可能である。カレンダーの年月日等が表示されている画面上の座標と医用画像の収集年月日とは対応しており、選択部５を介してこれら画面上に表示されている年月日等を選択すると、年月日等に対応した検索条件（検索キー）がＣＰＵ２によって検索部７に送信される。カレンダーＣの種類としては、一年分のカレンダーを表示する一年表示カレンダーＣ１、複数年分のカレンダーを表示する複数年表示カレンダーＣ２、複数年表示カレンダーの月を上・中・下旬に分けて表示する上中下旬カレンダーＣ３とがある。
【００１３】
検索部８は、撮影部位領域の選択信号を受信すると、検索条件（検索キー）に基づいて記憶部６に記憶されている患者情報データ６２から所望の患者情報データ６２を検索する。また、検索部８は、検索ボタンの選択信号を受信すると、検索条件に基づいて患者情報データ６２から所望の患者情報データ６２を検索する。
【００１４】
以下、図３を参照しながら本実施形態の検索処理の一動作例を説明する。  
表示部４はＲＡＭ３に書き込まれているカレンダーＣ、記憶部６に記憶されている人体画像Ｉと患者情報データ６２の一覧、カレンダー切替ボタンＢ１、検索ボタンＢ２とを一画面上に表示部４に表示する（ステップＳ０１）。ステップＳ０１で表示される画面を初期画面と呼ぶことにする。図４はこの初期画面の一例を示した図である。図４の左上の領域１１には人体画像Ｉ、左下の領域１２にはカレンダーＣ、画面上部にはカレンダー切替ボタンＢ１と、検索ボタンＢ２、残りの領域１３には患者情報データ６２の一覧が表示されている。ここで、初期画面のカレンダーＣは２００５年の一年表示Ｃ１のものとして説明する。
【００１５】
図５は２００５年の一年表示カレンダーＣ１の具体例を示す図である。この一年表示カレンダーＣ１は１月から始まる２００５年のカレンダーである。この一年表示カレンダーＣ１は選択部５により選択可能な日と月等とから構成される。操作者が選択部５を介してカレンダー切替ボタンＢ１を選択すると、画面の領域１２に表示されているカレンダーが切替わる。例えば、カレンダー切替ボタンＢ１が１つの場合、カレンダー切替ボタンが選択されると、画面の領域１２に表示されているカレンダーが、一年表示Ｃ１、複数年表示Ｃ２、上中下旬表示のカレンダーＣ３という様に順番に切り替わる。また、カレンダー切替ボタンＢ１を複数用意し、一年表示Ｃ１に対応するカレンダー切替ボタン、複数年表示Ｃ２に対応するカレンダー切替ボタン、上中下旬表示Ｃ３に対応するカレンダー切替ボタンとしてもよい。操作者が選択部５を介して検索ボタンＢ２が選択されると、決定された検索条件に従って、検索が開始される。
【００１６】
操作者は選択部５を用いて初期画面に表示されている人体画像Ｉの所望の撮影部位領域（Ｉ１〜Ｉ７）を直接選択する（ステップＳ０２）。検索部８は、選択された撮影部位領域に対応する検索条件（検索キー）に基づいて患者情報データ６２から所望の撮影部位情報を有している患者情報データ６２を検索する（ステップＳ０３）。例えば、ステップＳ０２で頭部領域が選択された場合、検索部８は、頭部領域に対応する検索条件に基づいて、記憶部６から撮影部位データとして頭部に対応する情報を有している患者情報データ６２を検索する。
【００１７】
カレンダー生成部７は、検索された患者情報データ６２から撮影日データを読み取り、その撮影日データに対応するカレンダーの日を、撮影日データに対応しない日と区別できるように丸で囲む（ステップＳ０４）。日を丸で囲むことによって、この日が撮影日である患者情報データ６１が検索部８によって検索されたことを明示する。なお、この明示方法として、例えば、撮影日データに対応する日を撮影日データに日とは異なる色で表示する、撮影日データに対応する日の彩色、輝度を変更する、又は文字を太くする、ブリンクさせるなどとしてもよい。
【００１８】
検索が終了すると、表示部４は人体画像I、丸で囲んだ一年表示のカレンダー、検索された患者情報データ６２の一覧、カレンダー切替ボタンＢ１、検索ボタンＢ２とを同時に一画面上に表示する（ステップＳ０５）。図９は撮影部位を選択した後の表示画面の一例である。図６に示すように、検索された患者情報データ６２の一覧には所望の撮影部位情報（図６では頭部）を有している患者情報データ６２しか表示されていない。また、左下に表示されているカレンダーＣ１には検索された患者情報データの撮影日データに対応する撮影日が明示されている。
【００１９】
操作者は検索された患者情報データ６２の数に応じて、更にカレンダーＣ１で検索された患者情報データに対して検索を行うかを決める（ステップＳ０６）。検索された患者情報データ６２の数が一画面で表示できるほど少ない場合、これ以上検索をしなくても容易に所望の患者情報データ６２を見つけることができるので終了となる。
【００２０】
一年表示のカレンダーＣ１で検索をする場合（Ａ）は、すでに表示部４上に一年表示のカレンダーが表示されているのでそのまま次の処理に進む（ステップＳ０７）。複数年表示のカレンダーＣ２で検索行う場合（Ｂ）又は上中下旬表示のカレンダーＣ３で検索を行う場合（Ｃ）は、選択部５を介してカレンダー切替ボタンを選択することにより所望のカレンダーに切替える（ステップＳ０８）。
【００２１】
以下、一年表示のカレンダーでの検索処理（Ａ）の一動作例について図７を参照しながら説明する。  
操作者は、選択部５を介して、所望の患者情報データ６２に含まれる撮影日データに対応するカレンダーＣ上の日及び月を選択する（ステップＳＡ１）。選択する日又は月の数は１つでも複数でもよいし、日と月とを両方選択してもよい。
【００２２】
操作者は、所望の日及び月を選択し終わったら、選択部５を用いて表示部４上に表示されている検索ボタンを選択する（ステップＳＡ２）。
【００２３】
検索部８は、検索ボタンの選択信号を受信すると、選択された日及び月に対応する検索条件に基づいて記憶部６に記憶されている患者情報データ６２から所望の撮影日情報を有する患者情報データ６２を検索する（ステップＳＡ３）。例えば操作者が２００５年３月４日に対応する“４”を選択した場合、検索部８は、２００５年３月４日に対応する検索条件に基づいて、記憶部６に記憶されている患者情報データ６２の中から撮影日データ２００５年３月４日に対応する患者情報データ６２を検索する。また、２００５年３月に対応する“３”が選択された場合、検索部８は２００５年３月に対応する検索条件に基づいて、記憶部６に記憶されている患者情報データ６２を検索する。
【００２４】
検索が終了すると、表示部４は人体画像Ｉ、カレンダー切替ボタンＢ１、検索ボタンＢ２、丸で囲まれた一年表示のカレンダーＣ１、検索された患者情報データ６２の一覧とを同時に一画面上に表示する（ステップＳＡ４）。ここで表示されるカレンダーＣ１はステップＳＡ１におけるカレンダーＣ１と同様である。
【００２５】
操作者は、検索された患者情報データ６２の一覧に所望の患者情報データ６２がある否かを判断（ステップＳＡ５）する。所望の患者情報データ６２がない場合はステップＳＡ１に戻り検索し直すことが可能である。所望の患者情報データ６２がある場合は検索終了となる。
【００２６】
次に、図８を参照しながら、複数年表示のカレンダーＣ２での検索処理（Ｂ）の一動作例について説明する。  
操作者がカレンダー切替えボタンＢ１を選択することにより複数年表示のカレンダーＣ２に切替えると、カレンダー生成部７は、一覧表示されている患者情報データ６２に含まれる撮影日データに基づいて、複数年表示のカレンダーを生成する（ステップＳＢ１）。図９は複数年表示カレンダーＣ２の具体例を示す図である。この複数年表示カレンダーＣ２は１月から始まっており、２００４年と２００５年を表示したカレンダーである。複数年表示カレンダーは月と年とが表示される。この月と年とは選択部５により一つ一つ直接選択可能である。なお、図９のカレンダーは２年分表示の例を示しているが、何年分表示でもよい。一覧表示されている患者情報データ６２の撮影日データに対応する月は対応しない月と区別できるように明示されている。明示の仕方はステップＳ０４と同様である。
【００２７】
表示部４は人体画像Ｉ、カレンダー切替ボタンＢ１、検索ボタンＢ２、丸で囲まれた複数年表示のカレンダーＣ２、検索された患者情報データ６２の一覧とを同時に一画面上に表示する（ステップＳＢ２）。図１０はステップＳＢ２における表示画面の一例である。図１０に示す様に、検索された患者情報データ６２の撮影日に対応するカレンダーＣ２上の月が丸で囲まれて表示される。
【００２８】
操作者は、選択部５を介して、所望の患者情報データ６２に含まれる撮影日データに対応する月及び年を選択する（ステップＳＢ３）。選択する月及び年の数は１つでも複数でもよいし、月と年とを両方選択してもよい。  
操作者は、所望の月及び年を選択し終わったら、選択部５を介して表示部４上に表示されている検索ボタンを選択する（ステップＳＢ４）。
【００２９】
検索部８は、検索ボタンの選択信号を受信すると、選択された月及び年に対応する検索条件に基づいて、記憶部６から所望の撮影日データを有する患者情報データ６２を検索する（ステップＳＢ５）。例えばステップＳＢ３で２００４年１２月に対応する“１２”が選択された場合、検索部８は、２００４年１２月に対応する検索条件に基づいて、記憶部６から撮影日データ２００４年１２月に対応する患者情報データ６２を検索する。２００４年が選択された場合も同様に検索部８によって検索されるので説明は省略する。
【００３０】
検索が終了すると、表示部４は人体画像Ｉ、カレンダー切替ボタンＢ１、検索ボタンＢ２、丸で囲まれた複数年表示のカレンダー、検索された患者情報データ６２の一覧とを同時に一画面上に表示する（ステップＳＢ６）。ここで表示されるカレンダーＣ３はステップＳＢ２におけるカレンダーＣ２と同様である。
【００３１】
操作者は、検索された患者情報データ６２の一覧に所望の患者情報データ６２がある否かを判断（ステップＳＢ７）する。所望の患者情報データ６２がない場合はステップＳＢ３に戻り検索し直すことが可能である。所望の患者情報データ６２がある場合は検索終了となる。
【００３２】
次に、図１１を参照しながら、上中下旬表示のカレンダーＣ３での検索処理（Ｃ）の一動作例について説明する。  
操作者がカレンダー切替ボタンＢ１を選択することによって上中下旬表示のカレンダーＣ３に切替えると、カレンダー生成部７は、一覧表示されている患者情報データ６２に含まれる撮影日データに基づいて、上中下旬表示のカレンダーＣ３を生成する（ステップＳＣ１）。
【００３３】
図１２は上中下旬カレンダーＣ３を説明するための図である。この上中下旬表示カレンダーＣ３は１月から始まっており、２００４年と２００５年とを表示したカレンダーである。上中下旬カレンダーはＣ３上旬（カレンダーでは月の横に表示される上）と中旬（カレンダーでは月の横に表示される中）と下旬（カレンダーでは月の横に表示される下）と月と年とで構成される。例えば、上旬は１〜１０日、中旬は１１〜２０日、下旬は２１日〜末日に対応する。日・月・年・上旬・中旬・下旬は選択部５により直接選択可能である。なお、図１２のカレンダーは２年分表示の例を示しているが、年数は何年分表示でもよい。一覧表示されている患者情報データ６２の撮影日データに対応する上旬・中旬・下旬は対応しない上旬・中旬・下旬と区別できるように明示されている。なお、区別の仕方はステップＳ０４又はＳＢ１と同様である。
【００３４】
表示部４は人体画像Ｉ、カレンダー切替ボタンＢ１、検索ボタンＢ２、カレンダー切替ボタンＢ１、丸で囲まれた上中下旬表示のカレンダーＣ３と検索された患者情報データ６２の一覧とを同時に一画面上に表示する（ステップＳＣ２）。図１３はステップＳＣ２における表示画面の一例である。図１３に示す様に、検索された患者情報データ６２の撮影日に対応するカレンダー上の上旬・中旬・下旬が丸で囲まれて表示される。
【００３５】
操作者は、選択部５を介して、所望の参照したい患者情報データ６２に含まれる撮影日データに対応する月・年・上旬・中旬・下旬を選択する（ステップＳＣ３）。選択する月・年・上旬・中旬・下旬の数は１つでも複数でもよい。
【００３６】
操作者は、所望の月・年・上旬・中旬・下旬を選択し終わったら、選択部５を介して表示部４上の検索ボタンを選択する（ステップＳＣ４）。  
検索部８は、検索ボタンの選択信号を受信すると、選択された月・年・上旬・中旬・下旬に対応する検索条件に基づいて、記憶部６から所望の撮影日データを有している患者情報データ６２を検索する（ステップＳＣ５）。例えばステップＳＣ３で２００５年８月上旬に対応する“上”が選択された場合、検索部８は、選択された２００５年８月上旬に対応する検索条件に基づいて記憶部６から撮影日データ２００５年８月１日〜２００５年８月１０日に対応する患者情報データ６２を検索する。検索部８は、“中”が選択された場合は１１日〜２０日に、“下”が選択された場合は２１日〜末日に対応する患者情報データ６２を検索する。月・年が選択された場合はステップＳＢ５と同様なので省略する。
【００３７】
検索が終了すると、表示部４は人体画像Ｉ、カレンダー切替ボタンＢ１、検索ボタンＢ２、丸で囲まれた上中下旬表示のカレンダーＣ３、検索された患者情報データ６２の一覧とを同時に一画面上に表示する（ステップＳＣ７）。ここで表示される上中下旬カレンダーＣ３はステップＳＣ２における上中下旬カレンダーＣ３と同様である。
【００３８】
操作者は、検索された患者情報データ６２の一覧に所望の患者情報データ１１がある否かを判断（ステップＳＣ８）する。所望の患者情報データ６２がない場合はステップＳＣ３に戻り検索し直すことが可能である。所望の患者情報データ６２がある場合は検索終了となる。
【００３９】
以下、検索を行った結果、検索された患者情報データ６２に同一の患者（患者ＩＤが同一）の患者情報データ６２が複数検索される場合を説明する。図１４は検索を行った結果、患者ＩＤ１（患者Ａ）に関する患者情報データ６２が複数検索された場合の表示例を示す図である。図１４に示すように、同じ患者ＩＤを有する複数の患者情報データ６２のうち一つだけを選択部５により選択可能な特別な符号を付して表示する。この表示の仕方を縮小表示と呼ぶことにする。図１４において、患者氏名の横に付してある特別な符号（＋）を展開マークと称する。もちろん、この展開マークは（＋）でなくほかのマークでもよく、また、その場所は患者氏名の横に限らない。なお、表示されていない患者ＩＤ“１”の患者情報データ６２の撮影日に対応するカレンダーの日付は丸で囲んで表示してある。
【００４０】
図１５は、展開マークが選択部５によって直接選択された場合の表示例を示す図である。図１５に示すように、展開マークが選択されると、表示部４は、図１５では表示しなかった残りの患者情報データ６２（図１５では、上から２番目の患者情報データ６２）を表示する。表示部４は、展開マークの代わりに選択部５により選択可能な縮小マーク（−）を表示する。もちろん、この縮小マークは（−）ではなく他のマークでもよく、また、その場所は患者氏名の横に限らない。縮小マークが選択されると、再び、図１４のように同一の患者に関する複数の患者情報データ６２を縮小表示する。
【００４１】
また、検索処理の説明ではカレンダーを図５、図９、図１２のように一月から順に表示したものを用いて説明したが、図１６のような操作日の属する月から過去一年若しくは複数年表示のカレンダーを用いてもよい。図１６は過去１年表示のカレンダーを示す図である。図１６は、一例として、操作日の属する日が７月の場合における過去１年表示のカレンダーＣ４を示している。この他にも図示はしないが過去複数年カレンダー又は過去複数年上中下旬表示カレンダーであってもよい。この場合、カレンダーで検索できる撮影日データの期間が変わるだけで、検索処理の流れに変更はない。従って過去一年若しくは複数年表示のカレンダーを用いた検索処理の説明は省略する。
【００４２】
なお、本実施形態では図３に示すように、先に人体画像Ｉを選択することで検索を行い、その次にカレンダーを選択して検索を行う例を示したが、先にカレンダーを選択して検索をし、その次に人体画像を選択して検索を行ってもよい。
【００４３】
上述の検索処理では、選択部５を用いて各撮影部位の領域（Ｉ１〜Ｉ７）を選択することにより検索条件を決定していた。しかし、表示部４が各撮影部位をアイコンとして表示し、選択部５を用いて各撮影部位の各アイコンを選択することにより検索条件を決定してもよい。
【００４４】
かくして本実施形態によれば、医用画像情報の検索時間の短縮と検索操作の効率化が可能である。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本実施形態におけるシステム構成を示す図。
【図２】本実施形態における人体画像の具体例を示す図。
【図３】本実施形態における検索処理の一動作例を示す図。
【図４】図３のステップＳ０１における初期画面の一例を示す図。
【図５】本実施形態における一年表示カレンダーＣ１の具体例を示す図。
【図６】図３のステップＳ０６における表示画面の一例を示す図。
【図７】図３に続いて、一年表示のカレンダーＣ１での検索処理の一動作例を示す図。
【図８】図３に続いて、複数年表示のカレンダーＣ２での検索処理の一動作例を示す図。
【図９】本実施形態における複数年表示カレンダーＣ２の具体例を示す図。
【図１０】図８のステップＳＢ２における表示画面の一例を示す図。
【図１１】図３に続いて、上中下旬表示のカレンダーＣ３での検索処理の一動作例を示す図。
【図１２】本実施形態における上中下旬表示カレンダーＣ３の具体例を示す図。
【図１３】図１１のステップＳＣ２における表示画面の一例を示す図。
【図１４】本実施形態において、同一患者の患者情報データが複数検索されたときの縮小表示を説明する図。
【図１５】図１４の縮小表示を展開したときの表示例を示す図。
【図１６】本実施形態における過去１年表示のカレンダーＣ４を示す図。
【符号の説明】
【００４７】
１…医用画像診断装置、２…ＣＰＵ、３…ＲＡＭ、４…表示部、５…選択部、６…記憶部、７…カレンダー生成部、８…検索部、６１…医用画像データ、６２…患者情報データ、６３…詳細患者情報データ。
【図１】
2008068033.tif 000003
【図２】
2008068033.tif 000004
【図３】
2008068033.tif 000005
【図４】
2008068033.tif 000006
【図５】
2008068033.tif 000007
【図６】
2008068033.tif 000008
【図７】
2008068033.tif 000009
【図８】
2008068033.tif 000010
【図９】
2008068033.tif 000011
【図１０】
2008068033.tif 000012
【図１１】
2008068033.tif 000013
【図１２】
2008068033.tif 000014
【図１３】
2008068033.tif 000015
【図１４】
2008068033.tif 000016
【図１５】
2008068033.tif 000017
【図１６】
2008068033.tif 000018